(57)【特許請求の範囲】
【請求項１】
前面枠体の裏面側に設けられ、遊技盤が後側から装着される遊技盤取付枠と、前記遊技盤取付枠の適宜位置に回動可能に設けられる複数個の遊技盤固定部材と、前記遊技盤の裏面側に配設される各種遊技部品を覆うように前記遊技盤の裏面側に着脱可能に取り付けられる合成樹脂製の保護カバーとを備えてなるパチンコ遊技機であって、
前記保護カバーと一体に前記遊技盤の裏面に密着する当接片を形成し、前記当接片は前記遊技盤固定部材の係止部に対応する側縁部分に該係止部がその上面に無理なくスムーズに当接できるテーパー面を形成してなり、前記遊技盤を前記遊技盤取付枠に装着した状態で前記遊技盤固定部材を回動させその係止部を前記テーパー面から前記保護カバーの当接片上面に圧接させることにより前記遊技盤を前記遊技盤取付枠に押圧固定するようにしたことを特徴とするパチンコ遊技機の遊技盤取付構造。
【請求項２】
前記保護カバーに係合部を設けると共に、前記遊技盤に被係合部を設け、前記係合部と前記被係合部とを係合させることにより前記保護カバーを前記遊技盤の裏面の所定位置に保持するようにしたことを特徴とする請求項１記載のパチンコ遊技機の遊技盤取付構造。
【請求項３】
前記係合部が突起であり、前記被係合部が嵌合孔である請求項２記載のパチンコ遊技機の遊技盤取付構造。
【発明の詳細な説明】
【０００１】
【発明の属する技術分野】
本発明は、パチンコ遊技機の遊技盤取付構造に関し、特に遊技盤と該遊技盤の裏面に着脱可能に装着される保護カバーとを遊技盤固定部材により遊技盤取付枠に一体的に押圧固定するようにして製造工程の簡素化を図るようにしたパチンコ遊技機の遊技盤取付構造に関するものである。
【０００２】
【従来の技術】
従来のパチンコ遊技機は、周知のように前面枠の裏面側に矩形状の遊技盤取付枠が設けられており、該遊技盤取付枠に裏面側から遊技盤を装着すると共に、遊技盤取付枠に回動可能に設けられた複数個の遊技盤固定部材により遊技盤を遊技盤取付枠に押圧固定するようにされていた。詳細には遊技盤の裏面であって、遊技盤固定部材の係止部と対応する位置に金属板或いは硬い合成樹脂板からなる当接片が固着されており、遊技盤固定部材の係止部を当接片の上面に圧接させることで遊技盤を遊技盤取付枠に対して緩まないように強固に押圧固定するようにされていた。
【０００３】
一方、遊技盤の裏面には、遊技盤の表面に配設される入賞口や大入賞口に入賞した入賞球を下方に流下させる通路部或いは大当りランプや入賞球検出器から引き出される配線を中継する中継回路基板等の各種遊技部品が配設されており、これら各種遊技部品を覆い隠すように合成樹脂製の保護カバーが設けられている。そして、保護カバーは、例えばその四隅部に設けられた筒状嵌合孔を遊技盤の裏面にビス止めされた嵌合突起にそれぞれ嵌合させることによって着脱自在に取り付けるようにされていた。
【０００４】
【発明が解決しようとする課題】
ところで、前記した当接片は、先ずルーター加工機により遊技盤の裏面に当接片の厚みと略等しい凹溝を切削し、次いでその凹溝に当接片を嵌め合わせてビス着するようにされていた。このように、従来の遊技盤取付構造では、ルーター加工機による凹溝の切削作業と当接片のビス着作業を必要として製造工程が煩雑で手間が掛かるばかりか、複数個の当接片を必要として部品数が多くなる等コストの面で問題があった。また、遊技盤の固定と保護カバーの取付作業が別々に行われていて作業能率が極めて低かった。
【０００５】
【課題を解決するための手段】
本発明は、上記に鑑み提案されたもので、請求項１に記載の発明は、前面枠体の裏面側に設けられ、遊技盤が後側から装着される遊技盤取付枠と、該遊技盤取付枠の適宜位置に回動可能に設けられる複数個の遊技盤固定部材と、遊技盤の裏面側に配設される各種遊技部品を覆うように遊技盤の裏面側に着脱可能に取り付けられる合成樹脂製の保護カバーとを備えてなるパチンコ遊技機であって、前記保護カバーと一体に遊技盤の裏面に密着する当接片を形成し、前記当接片は遊技盤固定部材の係止部に対応する側縁部分に該係止部がその上面に無理なくスムーズに当接できるテーパー面を形成してなり、遊技盤を遊技盤取付枠に装着した状態で遊技盤固定部材を回動させその係止部を前記テーパー面から保護カバーの当接片上面に圧接させることにより遊技盤を遊技盤取付枠に押圧固定するようにしたことを特徴としている。
【０００６】
そして、請求項１記載の発明によれば、遊技盤に当接片を嵌め合わせるための凹溝を設けたり、当接片を遊技盤に取り付けたりする作業が必要なくなり製造工程の簡素化を図ることができると共に、部品点数を削減することができてコストの低減を図ることが可能となる。また、遊技盤の固定と保護カバーの取り付けを一挙動で行うことが可能となる。
【０００７】
また、請求項２記載の発明は、保護カバーに係合部を設けると共に、遊技盤に被係合部を設け、係合部と被係合部とを係合させることにより保護カバーを遊技盤の裏面の所定位置に保持するようにしたことを特徴としており、請求項３記載の発明は、係合部が突起であり、被係合部が嵌合孔であることを特徴としている。
【０００８】
この構成によれば、保護カバーを遊技盤の裏面の所定位置に簡単かつ確実に保持することが可能となると共に、遊技盤固定部材による保護カバーの固定保持を容易とすることが可能となる。
【０００９】
【発明の実施の形態】
次に、図面を参照して本発明の一実施の形態を説明する。図１はパチンコ遊技機の正面図、図２はパチンコ遊技機の裏面図、図３はガラス板保持枠と打球供給皿を有する前面板及び余剰球受皿を有する前面下部板を開いた状態の斜視図、図４は機構板を開放した状態の裏面斜視図である。図１において、パチンコ遊技機１は、縦長な方形状に枠組み形成される外枠２と、該外枠２の一側にヒンジ機構３、３によって開閉自在に装着される前面枠体４とを備え、該前面枠体４の前面一側にガラス板保持枠５と、打球供給皿６を有する前面板７及び余剰球受皿８を有する前面下部板９とがそれぞれ開閉自在に設けられている。また、前面下部板９には打球発射用の操作ハンドル１０が設けられている。
【００１０】
前記前面枠体４は、図３に示すように鉄板等の金属板によって形成されるもので、上部にほぼ正方形状の開口部１１が形成されている。また、図４乃至図６に示すように前面枠体４の裏面であって、開口部１１の上側位置を除く左右両側位置及び下側位置にそれぞれ左右側枠体１２，１２及び下側枠体１３がカシメ着されており、これら左右側枠体１２，１２及び下側枠体１３によって遊技盤取付枠１４が形成されている。そして、その遊技盤取付枠１４であり、かつ開口部１１を覆うようにその裏面側から遊技盤１５が着脱可能に取り付けられるようになっている。前記遊技盤１５の表面には周知のように円状の誘導レール１６が設けられており、その誘導レール１６で囲まれる遊技領域に一般入賞口１７、通過始動口１８、可変始動口１９、図柄変動表示装置２０、大入賞口２１等の盤面構成部品が配設されている。
【００１１】
また、図３に示すように前面枠体４の前面には、遊技盤１５の遊技領域外を覆うようにレール飾り部材２２とレール変形防止部材２３が設けられており、さらに遊技盤１５の前面であり、遊技領域の外側位置には合成樹脂により形成された盤面部品としての証紙貼付部材２４が設けられている。また、前記開口部１１の下方であって前面枠体４の前面には打球発射機構２５と通路構成体２６が取り外し自在に装着されている。２７は前面枠体４及びガラス板保持枠５の施錠機構である。
【００１２】
一方、図４及び図５に示すように遊技盤１５の裏面には、遊技盤１５の遊技領域に設けられた一般入賞口１７、可変始動口１９、大入賞口２１に入賞した入賞球をそれぞれ下方に導く通路部材２８及び図柄変動表示装置２０の後方を覆う箱状カバー２９や大入賞口２１の駆動機構３０、さらには大当りランプや入賞球検出器から引き出される配線を中継する中継回路基板３１等の各種遊技部品が配設されており、これら各種遊技部品の全体を覆い隠すように合成樹脂製の保護カバー３２が設けられている。この保護カバー３２は、図７及び図８に示すようにその背面側にパチンコ遊技を制御する遊技制御回路基板を収納した基板ボックス３３が取り付けられるベース部３４と、図柄変動表示装置２０の箱状カバー２９が臨む突出部３５が一体に設けられており、その突出部３５の後面には開口３６が形成されている。この開口３６は中継回路基板３１や中継回路基板３１に設けられるヒューズ管等の交換作業或いは配線の接続状態の点検作業を容易に行えるようにするためのもので、その開口３６に蓋部材３７が着脱自在に設けられている。
【００１３】
また、図２において遊技盤１５の裏面であり、遊技盤取付枠１４の一側には合成樹脂製の機構板３８が上下のヒンジ３８ａ，３８ａを介して着脱及び開閉自在に設けられている。この機構板３８は、上下に二分割され、かつ保護カバー３２が臨む開口窓３９を有する正面コ字形に形成されており、その開口窓３９の下方部に樋状の入賞球集合部４０が設けられている。また、機構板３８の開口窓３９の上方部には球タンク４１、該球タンク４１に貯留された球を下流側に整列しながら誘導する球誘導樋４２が設けられており、さらに球誘導樋４２の下流側であって、開口窓３９の側方部には屈曲誘導樋４３を介して賞球払出装置４４が着脱可能に設けられている。また、賞球払出装置４４の下方には、払い出された賞球を打球供給皿６に導く賞球排出通路４５、前記打球供給皿６が満杯となったとき、その余剰の球を余剰球受皿８に導く余剰球通路４６、アウト球通路４７、球抜通路４８等が設けられており、これら余剰球通路４６、アウト球通路４７及び球抜通路４８の流下端が前記通路構成体２６にそれぞれ連通されている。
【００１４】
ところで、前記遊技盤取付枠１４を構成する左右側枠体１２，１２であり、そのそれぞれ上下二箇所には図９に示すように遊技盤固定部材４９を取り付けるための前透孔５０及び後透孔５１が開設されている。この前透孔５０及び後透孔５１は両側に垂直部５２，５２を有するほぼ楕円形形状に形成されている。一方、前記遊技盤固定部材４９は、合成樹脂製の筒状支持体５３と、遊技盤１５を遊技盤取付枠１４に押圧固定する係止部材５４との二部材により構成されている。
【００１５】
前記筒状支持体５３は、周壁の左右対称位置に垂直面５２ａ，５２ａを設けて前記前透孔５０及び後透孔５１に合致する楕円形形状に形成されており、中心に軸通孔５５が穿設されている。また、筒状支持体５３は、周壁の垂直面５２ａ，５２ａに設けた長溝状の切欠部５６，５６によって復元弾性を有する一対の係止片５７，５７が設けられており、該係止片５７，５７の先端部分の周面に外方へ突出する係止爪５８，５８が一体に形成されている。
【００１６】
一方、前記係止部材５４は、図９及び図１０に示すように左右側枠体１２，１２の上面に重合状に位置して遊技盤１５の裏面を押圧可能な係止部５９と、該係止部５９の側端から後方へほぼ直角状に折曲形成される回動操作部６０とを一体に有し、その係止部５９にカシメ着された軸６１を筒状支持体５３の軸通孔５５に挿通してその先端部分を筒状支持体５３の中空内に突出位置させるようになっている。そして、筒状支持体５３の中空内において軸６１にワッシャー６２，６２、コイルばね６３を装着した後、軸６１の先端ねじ部６４にナット６５，６５を螺合して締着することにより筒状支持体５３と係止部材５４とを一体化すると共に、コイルばね６３の弾発力によって係止部材５４を遊技盤１５方向に押圧するようになっている。
【００１７】
このような構成からなる遊技盤固定部材４９は、筒状支持体５３の両係止片５７，５７を指で押圧して内側方向へ弾性変形させながら遊技盤取付枠１４の前透孔５０から後透孔５１に臨ませて押し込む。そして、筒状支持体５３の係止爪５８，５８が後透孔５１を通過すると両係止片５７，５７がその弾性復元力により拡開し、図１０に示すように係止爪５８，５８が後透孔５１の前面縁に係止されて遊技盤取付枠１４にワンタッチで確固と取り付けられるようになっている。
【００１８】
一方、前記保護カバー３２には、図７及び図８に示すようにその四隅角部であって遊技盤１５の裏面に密着する当接片６６が一体形成されている。この当接片６６は、遊技盤固定部材４９の係止部材５４を遊技盤１５の固定位置（図１１実線参照）に回動したときその上面に係止部材５４の係止部５９が当接可能なように設けられるもので、その係止部５９に対応する側縁部分がテーパー面６６ａとして形成されている。また、保護カバー３２の裏面側であり、当接片６６の近傍に係合部としての突起（ダボ）６７がそれぞれ設けられており、遊技盤１５には突起（ダボ）６７に対応する被係合部としての嵌合孔（ダボ孔）６８が設けられている。なお、前記当接片６６の上面には半球状の凸部６９が突設されており、遊技盤固定部材４９の係止部材５４を固定位置に回動したとき、その凸部６９と係止部材５４の係止部５９に形成された半球状の凹窪部７０とが嵌合してその固定状態を安定的に維持し得るようになっている。
【００１９】
しかして、遊技盤１５を前面枠体４に取り付けるには、先ず保護カバー３２の突起（ダボ）６７を遊技盤１５の嵌合孔（ダボ孔）６８に嵌め合わせて保護カバー３２を遊技盤１５の裏面に装着する。この突起（ダボ）６７と嵌合孔（ダボ孔）６８との嵌合によって保護カバー３２の装着位置が一義的に決められて保護カバー３２を遊技盤１５の裏面の所定位置に簡単かつ確実に保持することができることになり、保護カバー３２の当接片６６と遊技盤固定部材４９とが正しく対応位置すると共に、保護カバー３２が脱落しないように遊技盤１５の裏面に密着した状態で保持されることになる。次に、遊技盤１５を遊技盤取付枠１４に密着させた後、遊技盤固定部材４９の係止部材５４を図１１鎖線で示す遊技盤１５の固定解除位置から図１１実線に示す固定位置に回動させることにより、係止部材５４の係止部５９が保護カバー３２の当接片６６上面に当接して遊技盤１５を遊技盤取付枠１４に強く圧接する。これによって、遊技盤１５を遊技盤取付枠１４に確実かつ強固に押圧固定することができると共に、遊技盤固定部材４９により保護カバー３２を容易に固定保持することができる。なお、当接片６６のテーパー面６６ａは係止部材５４の係止部５９が当接片６６の上面に無理なくスムーズに当接できるように機能する。
【００２０】
【発明の効果】
以上、説明したところから明らかなように、本発明に係るパチンコ遊技機の遊技盤取付構造は、各種遊技部品を覆うように遊技盤の裏面側に着脱可能に取り付けられる合成樹脂製の保護カバーと一体に遊技盤の裏面に密着する当接片を形成し、遊技盤を遊技盤取付枠に装着した状態で遊技盤固定部材の係止部を保護カバーの当接片上面に圧接させることにより遊技盤を遊技盤取付枠に押圧固定するようにしたものであるから、従来のパチンコ遊技機のように遊技盤に当接片を嵌め合わせるための凹溝を設けたり、当接片を遊技盤に取り付けたりする作業が必要なくなり製造工程の簡素化を図ることができると共に、部品点数を削減することができてコストの低減を図ることができる。また、遊技盤の固定と保護カバーの取り付けを一挙動で行うことができ、作業能率を高めることができる。
【００２１】
また、遊技盤固定部材によって保護カバーを遊技盤と一体に固定するようにしたものであるから、例えばパチンコ遊技を制御する遊技制御回路基板（主基板）を保護カバーで覆うようにすることにより、遊技盤を遊技盤取付枠から外して保護カバーを取り外さなければ遊技制御回路基板（主基板）の着脱が行えないため、該遊技制御回路基板（主基板）の取替えによる不正遊技を確実に防止することもできる。
【図面の簡単な説明】
【図１】  本発明が適用されるパチンコ遊技機の正面図である。
【図２】  図１のパチンコ遊技機の裏面図である。
【図３】  ガラス板保持枠と打球供給皿を有する前面板及び余剰球受皿を有する前面下部板を開いた状態の斜視図である。
【図４】  機構板を開いた状態の裏面斜視図である。
【図５】  遊技盤から保護カバーを取り外した状態の裏面斜視図である。
【図６】  遊技盤取付枠から遊技盤を取り外した状態の裏面斜視図である。
【図７】  保護カバーの斜視図である。
【図８】  保護カバーの裏面斜視図である。
【図９】  遊技盤取付枠から遊技盤固定部材を取り外した状態の斜視図である。
【図１０】  遊技盤固定部材の取付状態を示す断面図である。
【図１１】  遊技盤固定部材の作用を説明する正面図である。
【符号の説明】
１        パチンコ遊技機
４        前面枠体
１４      遊技盤取付枠
１５      遊技盤
３２      保護カバー
４９      遊技盤固定部材
５９      係止部
６６      当接片
６６ａ    テーパー面
６７      突起（係合部）
６８      嵌合孔（被係合部）
【図１】
0003717394.tif 000002
【図２】
0003717394.tif 000003
【図３】
0003717394.tif 000004
【図４】
0003717394.tif 000005
【図５】
0003717394.tif 000006
【図６】
0003717394.tif 000007
【図７】
0003717394.tif 000008
【図８】
0003717394.tif 000009
【図９】
0003717394.tif 000010
【図１０】
0003717394.tif 000011
【図１１】
0003717394.tif 000012